(57)【要約】【課題】  パララックス補正のために特別な機構を必要とせず、パララックスが補正が可能なデジタルカメラを提供する。【解決手段】  撮像素子駆動方式の手振れ補正機構を使用し、パララックスをキャンセルできる位置に撮像素子を駆動してパララックス補正をする。【選択図】        図３
2006259114.tif 000002
【特許請求の範囲】
【請求項１】
フラッシュと、撮像素子と、撮像素子を駆動する撮像素子駆動手段と、前記撮像素子駆動手段により前記撮像素子を駆動して被写体距離の変化によって生じる前記フラッシュと前記撮像素子とのパララックスを補正するパララックス補正手段と、を有することを特徴とするデジタルカメラ。
【請求項２】
ファインダと、撮像素子と、撮像素子を駆動する撮像素子駆動手段と、前記撮像素子駆動手段により前記撮像素子を駆動して被写体距離の変化によって生じる前記ファインダと前記撮像素子とのパララックスを補正するパララックス補正手段と、を有することを特徴とするデジタルカメラ。
【請求項３】
前記撮像素子駆動手段により前記撮像素子を駆動して手振れを補正するブレ補正手段を有することを特徴とする請求項１または２に記載のデジタルカメラ。
【発明の詳細な説明】
【技術分野】
【０００１】
本発明はデジタルカメラ、特に、光学的なファインダやフラッシュを備えて、パララックスの補正機能を有したデジタルカメラに関する。
【背景技術】
【０００２】
撮影光学系とは別にファインダ光学系を有するカメラでは、一般的にそれぞれの光学系の光軸を平行に設定している。したがって、被写体が遠方にある場合は、撮影範囲とファインダの視野範囲が一致しているが、被写体が近距離になった場合両者の間にパララックスが発生する。パララックスとは、ここではファインダ光学系により見える範囲と撮影光学系により写される範囲との間に生ずるずれのことを言う。視差ともいう。
【０００３】
また、フラッシュを内蔵しているカメラでは上記と同様に、フラッシュの照射範囲と撮影範囲との間でパララックスが生じる。
【０００４】
この問題を解決するため、ファインダと撮影範囲との間に生ずるパララックスの問題に対して、従来技術では撮影レンズの距離環の回転に合わせてファインダ内の視野枠を移動する方法などが用いられていた（例えば、特許文献１参照）。特許文献１に開示されている技術では、レンズを繰り出す回転リングにカムを備え、そのカムに当接したレバーによりファインダの視野枠を移動させてパララックスを補正している。
【０００５】
また、フラッシュの照射範囲と撮影範囲との間に生ずるパララックスに対しては、通常撮影およびマクロ撮影の撮影のモードに応じてストロボ光源の位置を移動させてパララックスを補正する技術がある（例えば、特許文献２参照）。
【特許文献１】特開２００４−４１５８７４号公報
【特許文献２】特開平１０−４８７１１号公報
【発明の開示】
【発明が解決しようとする課題】
【０００６】
しかしながら、従来技術では、パララックス補正のために補正専用の機構を設け、これを用いて補正を行っていた。そのため、パララックス補正専用の機構が必要になるために、カメラが大型になり、また、補正機構のためのコストも必要であった。
【０００７】
したがって、本発明の課題とするところは、パララックス補正のための特別な機構を必要とせずに、パララックスの補正が可能なデジタルカメラを提供することにある。
【課題を解決するための手段】
【０００８】
（請求項１）
フラッシュと、撮像素子と、撮像素子を駆動する撮像素子駆動手段と、前記撮像素子駆動手段により前記撮像素子を駆動して被写体距離の変化によって生じる前記フラッシュと前記撮像素子とのパララックスを補正するパララックス補正手段と、を有することを特徴とするデジタルカメラ。
【０００９】
（請求項２）
ファインダと、撮像素子と、撮像素子を駆動する撮像素子駆動手段と、前記撮像素子駆動手段により前記撮像素子を駆動して被写体距離の変化によって生じる前記ファインダと前記撮像素子とのパララックスを補正するパララックス補正手段と、を有することを特徴とするデジタルカメラ。
【００１０】
（請求項３）
前記撮像素子駆動手段により前記撮像素子を駆動して手振れを補正するブレ補正手段を有することを特徴とする請求項１または２に記載のデジタルカメラ。
【発明の効果】
【００１１】
請求項１に記載の発明によれば、撮像素子駆動手段により撮像素子を駆動して、フラッシュの照射範囲と撮像素子の撮影範囲との間に生ずるパララックスを補正するので、従来のようにフラッシュを駆動させることなくパララックス補正が行えるデジタルカメラを提供することができる。
【００１２】
請求項２に記載の発明によれば、撮像素子駆動手段により撮像素子を駆動して、ファインダの視野範囲と撮像素子の撮影範囲との間に生ずるパララックスを補正するので、従来のようにファインダを駆動させることなくパララックス補正が行えるデジタルカメラを提供することができる。
【００１３】
請求項３に記載の発明によれば、パララックス補正のための撮像素子の駆動手段は、手振れ補正のための撮像素子駆動手段を使用するので、パララックス補正のために特別の機構を必要としない。したがって、簡単な構成でパララックスを補正することができ、小型で低コストのデジタルカメラを提供することができる。
【発明を実施するための最良の形態】
【００１４】
（第１の実施形態）
図を用いて、本発明の第１の実施形態に係るデジタルカメラを説明する。本実施形態に係るデジタルカメラは、フラッシュを有し光学ファインダを有しないデジタルカメラであり、手振れを角速度センサで検出し撮像素子を駆動することによって手振れの補正を行う機能を有している。
【００１５】
図１（ａ）、（ｂ）、（ｃ）は本実施形態のデジタルカメラの外観図である。図１（ａ）は本デジタルカメラの正面図、図１（ｂ）は側面図、図１（ｃ）は背面図である。図１（ａ）において、符号１はカメラボディ、符号２はズーム機能を有した撮影レンズ、符号３は撮影レンズの鏡胴、符号４はフラッシュである。符号５はモード選択ダイアルで、プログラムモード、シャッター優先モード、絞り優先モードなど露出モードの選択に用いられる。図１（ｂ）において、符号６は撮像素子、符号７は撮像素子駆動手段であり、共にカメラボディ１に内蔵されている。撮像素子６にはＣＣＤセンサやＣＭＯＳセンサなどが用いられ、その受光面には撮影レンズ２を通過してきた光により被写体（不図示）の像が結像する。図１（ｃ）において、符号８は操作ダイアルで、パララックス補正のＯＮ、ＯＦＦ、撮影された画像の表示操作や消去の操作などに用いられる。符号９はＬＣＤで、電子ファインダおよび撮影された画像表示などに用いられる。
【００１６】
図２は本デジタルカメラのブロック図である。図２において図１と同じ機能の要素には同じ番号を付した。図２において、符号２１はＡ／Ｄコンバータで、撮像素子６から出力される画像信号をデジタルの画像データに変換する。符号２２は画像処理回路で、画像データの黒レベル補正、シェーディング補正、ホワイトバランス補正、ガンマ補正などを行い、補正された画像データを画像メモリ２３に記憶する。画像メモリ２３に記憶された画像データは制御ＣＰＵ３０に読み込まれ、ＬＣＤドライバ２４に出力されてＬＣＤ９に表示される。上述した撮像センサ６からＬＣＤ９における動作は撮像素子６の画像信号の出力フレーム毎に行われ、ＬＣＤ９には被写体のライブビュー画像が表示される。なお、ＬＣＤ９にはライブビュー画像以外に、撮影に関する情報などを表示させることもできる。角速度センサ２７からの出力は制御ＣＰＵ３０に入力され、ブレ補正手段３２はこれを演算して手振れの情報に変換し、ブレを打ち消すように撮像素子６を駆動させるために撮像素子駆動手段７に駆動量の情報を出力する。撮像素子駆動手段７には、パララックス補正のための補正量に関する情報も出力される。メモリカード２５には撮影された画像の画像データが記憶される。ＡＦ演算手段２８は、オートフォーカスを行うために制御ＣＰＵ３０に読み込まれた画像データに基づいて演算を行う。パララックス補正手段２９はフラッシュ４と撮像素子６とのパララックスを補正するために後述する演算を行い、撮像素子駆動手段７に撮像素子６の位置の補正量に関する情報を出力する。撮像素子駆動手段７はパララックス補正手段２９およびブレ補正手段３２から出力された情報に基づき撮像素子６を駆動してパララックス補正およびブレ補正を行う。撮影レンズ駆動手段２６は制御ＣＰＵ３０からの情報に基づき、撮影レンズ２のピント調整およびズームの駆動を行う。フラッシュ４は制御ＣＰＵ３０により発光の制御が行われる。
【００１７】
図３（ａ）、（ｂ）は撮像素子駆動手段７および撮像素子６の構成を示す図である。この図を用いて撮像素子駆動手段７の構造を説明する。図３（ａ）は撮像素子６が原点にあるときの、図３（ｂ）は撮像素子６が横方向にｘａ、縦方向にｙａだけ駆動されたときの状態を示す。図３（ａ）において、台板４１には撮像素子６を横方向に駆動するためのＸアクチュエータ４２ａが搭載されている。Ｘアクチュエータ４２ａは圧電素子の伸び縮みを利用したＳＩＤＭ（Ｓｍｏｏｔｈ  Ｉｍｐａｃｔ  Ｄｒｉｖｅ  Ｍｅｃｈａｎｉｓｍ；スムーズインパクト駆動機構）と呼ばれるアクチュエータで、Ｘアクチュエータ４２ａに取り付けられたＸ台板４３を横方向に駆動する。Ｘ台板４３には撮像素子６を縦方向に駆動するＹアクチュエータ４２ｂが搭載されている。Ｙアクチュエータ４２ｂもＸアクチュエータ４２ａと同様、圧電素子の伸び縮みを利用したＳＩＤＭが用いられており、Ｙアクチュエータ４２ｂに取り付けられたＹ台板４４を縦方向に駆動する。Ｙ台板４４には撮像素子６が搭載されている。点Ｏは撮像素子６の中心である。
【００１８】
図３（ｂ）は、撮像素子６が横方向にｘａ、縦方向にｙａだけ駆動されたときの状態を示している。Ｘ台板４３が横方向にｘａ、Ｙ台板４４が縦方向にｙａだけそれぞれ駆動されている。符号６’は駆動された位置にある撮像素子、点Ｏ’はその中心である。
【００１９】
図４は、本デジタルカメラのパララックス補正ルーチンのフローチャートである。本デジタルカメラでは電源投入後このルーチンが繰り返し実行されて、パララックスの補正が行われる。図４において、本ルーチンが呼び出されるとステップＳ１１でパララックス補正がＯＮに設定されているかどうかを判定する。ＯＮに設定されている場合（ステップＳ１１：Ｙｅｓ）ステップＳ１２を実行し、ＯＮに設定されていない場合（ステップＳ１１：Ｎｏ）リターンする。ステップＳ１２では、オートフォーカスを行う。ステップＳ１３では、オートフォーカスの結果に基づいて被写体までの距離が計算される。ステップＳ１４では、パララックス補正のための補正量すなわち撮像素子６の駆動量が計算される。ステップＳ１５では、その補正量が実際に撮像素子６を駆動する必要がある量かどうかが判定され、駆動の必要があると判定された場合（ステップＳ１５：Ｙｅｓ）ステップＳ１６が実行され、駆動の必要が無いと判定された場合（ステップＳ１５：Ｎｏ）リターンする。ステップＳ１６では、ステップＳ１４で計算された補正量に基づいて撮像素子６の駆動が行われる。なお、図４ではステップＳ１４で補正量計算を行った後、すぐに撮像素子の駆動を行わず、ステップＳ１５で撮像素子６の駆動が必要であるかどうかを判定している。これは、フラッシュ４の照射範囲が撮像素子６の撮影範囲を余裕を持ってカバーできる大きさなので、被写体距離の変化が小さい場合には撮像素子６を駆動しなくても撮影範囲がフラッシュ４の照射範囲に入っている可能性があるからである。
【００２０】
図５は、駆動手段７および撮像素子６’の構成を示す図で、撮像素子６’が駆動範囲の限界まで駆動された状態を示している。このとき、点Ｏおよび点Ｏ’を結んだ直線４５の延長上にフラッシュ４を設けておけば、撮像素子駆動手段の駆動範囲を有効に使ったパララックス補正が可能になる。
【００２１】
次に、パララックス補正のための補正量の算出方法を説明する。図６（ａ）、（ｂ）、（ｃ）はパララックス補正の説明図である。図６（ａ）は本デジタルカメラの撮影レンズ２およびフラッシュ４の構成を示す斜視図、図６（ｂ）は平面図、図６（ｃ）は側面図である。
【００２２】
図６（ａ）において、符号２、４、６はそれぞれ前述した撮影レンズ２、フラッシュ４、撮像素子６である。フラッシュ４は撮影レンズ２から横方向にＸｐ、縦方向にＹｐだけ離れた位置に設けられている。符号６’はパララックス補正を行うために移動された撮像素子を示す。点Ｏは撮像素子６の中心、点Ｏ’は移動させられた撮像素子６’の中心である。符号１１は撮像レンズ２の光軸であり、撮像素子６の中心Ｏを通っている。符号１２はフラッシュ４の光軸であり、点Ａで光軸１１と交わるようにフラッシュ４が取り付けられている。撮影レンズ２から点Ａまでの距離はＤである。したがって、被写体が点Ａの距離にあるときはフラッシュ４と撮像素子６とのパララックスは生じない。また、被写体が距離Ｄより遠方にあるときも、フラッシュ４の照射範囲が撮像素子６の撮影範囲を十分カバーするようにフラッシュ４の照射範囲は設計されている。
【００２３】
一方、被写体が点Ａよりも短い距離にあるとき、例えば、被写体が撮影レンズ２から距離ｄの点Ａ’の位置になると、撮影レンズ２の光軸１１とフラッシュ４の光軸１２との距離が大きくなり、パララックスが発生してフラッシュ４の照射範囲が撮像素子６の撮像範囲をカバーしきれなくなる。本実施形態では、このとき撮像素子６を横方向にｘａ、縦方向にｙａだけ駆動して、撮像素子６’の中心Ｏ’と撮影レンズ２の中心を結ぶ直線１１’が光軸１２と点Ａ’で交わるようにする。このようにすると撮像素子６’とフラッシュ４とのパララックスはなくなり、フラッシュ４の照明範囲は撮像素子６’の撮影範囲をカバーするようになる。
【００２４】
図６（ｂ）、図６（ｃ）を用いて、被写体が撮影レンズ２のある面から距離ｄの位置に来た場合にパララックス補正を行うための、撮像素子６の駆動量ｘａ、ｙａの大きさを求める。
【００２５】
まず、補正量ｘａを求める。図６（ｂ）は図６（ａ）の平面図である。フラッシュ４は撮影レンズ２から距離Ｘｐ離れており、撮影レンズ２の光軸１１とフラッシュの光軸１２はレンズから距離Ｄの点Ａで交わっている。パララックス補正のため駆動された撮像素子６’の中心点Ｏ’と撮影レンズ２の中心を結んだ直線１１’と光軸１２は撮影レンズ２のある面から距離ｄ離れた点Ａ’で交わっている。点Ｏと点Ｏ’との距離をｘａ、点Ａ’と光軸１１との距離をｘｄ、撮影レンズ２の焦点距離をＦｌとすると、次式が成り立つ。
（式１）：Ｆｌ／ｘａ＝ｄ／ｘｄ
（式２）：ｘｄ／（Ｄ−ｄ）＝Ｘｐ／Ｄ
式１および式２からｘｄを消去して整理すると、補正量ｘａは次式で求められる。
（式３）：ｘａ＝（１／ｄ−１／Ｄ）・Ｆｌ・Ｘｐ
次に、補正量ｙａを求める。図６（ｃ）は図６（ａ）の側面図である。フラッシュ４は撮影レンズ２から距離Ｙｐ離れており、撮影レンズ２の光軸１１とフラッシュの光軸１２はレンズから距離Ｄの点Ａで交わっている。パララックス補正のため駆動された撮像素子６’の中心点Ｏ’と撮影レンズ２の中心を結んだ直線１１’と光軸１２は撮影レンズ２のある面から距離ｄ離れた点Ａ’で交わっている。点Ｏと点Ｏ’との距離をｙａ、点Ａ’と光軸１１との距離をｙｄ、撮影レンズ２の焦点距離をＦｌとすると、次式が成り立つ。
（式４）：Ｆｌ／ｙａ＝ｄ／ｙｄ
（式５）：ｙｄ／（Ｄ−ｄ）＝Ｙｐ／Ｄ
式４および式５からｙｄを消去して整理すると、補正量ｙａは次式で求められる。
（式６）：ｙａ＝（１／ｄ−１／Ｄ）・Ｆｌ・Ｙｐ
上述したように本実施形態によれば、手振れ補正のために設けられた撮像素子駆動手段７を用いて、撮像素子６を駆動し被写体距離の変化によって生じるフラッシュ４と撮像範囲とのパララックスを補正することが可能になる。したがって、パララックス補正のために特別な機構を追加することなく、小形で低価格のパララックス補正が可能なカメラを提供することができる。また、パララックス補正が可能であるので、撮影レンズ２とフラッシュ４との距離を十分にとることができ、赤目現象の出にくいカメラを提供することが可能になる。
【００２６】
本実施形態では、パララックスの補正量を図４のステップＳ１４においてその都度計算しているが、他の方法としては被写体距離および撮影レンズ２の焦点距離に対して補正量を予め計算しておき、その結果をテーブルとしてメモリに記憶させておいてもよい。制御ＣＰＵ３０は被写体距離および撮影レンズ２の焦点距離に応じてそのテーブルから対応する補正量を読み出してパララックス補正を行うことができる。
【００２７】
（第２の実施形態）
図を用いて、本発明の第２の実施形態に係るデジタルカメラを説明する。本実施形態に係るデジタルカメラは、フラッシュおよび光学ファインダを有するデジタルカメラであり、手振れを角速度センサで検出し撮像素子を駆動することによって手振れの補正を行う機能を有している。本デジタルカメラが第１の実施形態に係るデジタルカメラと異なるのは、本デジタルカメラでは、光学ファインダを有していること、および第１の実施形態のデジタルカメラではフラッシュの照射範囲に対して撮影範囲のパララックスを補正しているが、本デジタルカメラではフラッシュの照射範囲はファインダの視野範囲をカバーするように設定されており、パララックス補正は光学ファインダの視野範囲に対する撮影範囲のパララックスを補正していることである。
【００２８】
図７（ａ）、（ｂ）、（ｃ）は本実施形態のデジタルカメラの外観図である。図７（ａ）は本デジタルカメラの正面図、図７（ｂ）は側面図、図７（ｃ）は背面図である。図７（ａ）、（ｂ）、（ｃ）において、図１（ａ）、（ｂ）、（ｃ）と同じ機能の要素には同じ番号を付し、その説明は省略する。図７（ａ）において、符号１０は光学的なファインダである。図７（ｃ）において、符号１１はファインダ１０のファインダ接眼窓である。
【００２９】
図８は本デジタルカメラのブロック図である。図８において図２と同じ機能の要素には同じ番号を付してその説明を省略する。図８において、１０はファインダである。３１はファインダ１０を構成するレンズの駆動手段で、制御ＣＰＵから出力される情報を元にファインダ１０のズーム駆動を行う。本デジタルカメラのブロック図が第１の実施形態のブロック図と異なるところは、本デジタルカメラではファインダ１０およびファインダレンズ駆動手段３１を有していることである。
【００３０】
撮像素子駆動手段７および撮像素子６の構成は第１の実施形態と同じであり、その構成は図３（ａ）、（ｂ）で示され、その動作は第１の実施形態と同じであるので、ここではその説明を省略する。
【００３１】
パララックスの補正ルーチンは第１の実施形態と同様であるので、図４を参照し、各ステップの説明は省略する。図４において、本デジタルカメラが第１の実施形態と異なるところは、ステップＳ１４およびステップＳ１５の内容である。
【００３２】
第１の実施形態ではステップＳ１４では式３および式６を用いて、フラッシュの照射範囲に対する撮像素子６の撮影範囲のパララックスの補正量を計算している。一方、本実施形態では、後述する式を用いてファインダの視野範囲に対する撮像素子６の撮影範囲のパララックスの補正量を計算する。
【００３３】
また、ステップＳ１５は、第１の実施形態ではフラッシュの照射範囲に対する撮像素子６の撮影範囲とのパララックスが、撮像素子６の駆動が必要な大きさであるかどうかを判定しているのに対し、本実施形態ではファインダ１０の視野範囲に対する撮像素子６の撮影範囲のパララックスが、撮像素子６の駆動が必要な大きさであるかどうかを判定している。
【００３４】
第１の実施形態では図５を用いて、撮像素子駆動手段７の駆動範囲を有効に使うためのフラッシュ４の設置位置の説明をしたが、本実施形態においてもファインダ１０を図５の直線４５の延長上に設ければ、撮像素子駆動手段７の駆動範囲を有効に使ったパララックス補正が可能になる。
【００３５】
次に、パララックス補正のための補正量の算出方法を説明する。本実施形態においては、フラッシュ４の照射範囲は、その到達距離内の撮影距離の全範囲において光学ファインダの視野範囲をカバーするように、その光軸の角度および照射角が設定されている。したがって、パララックス補正はファインダの視野範囲に対する撮像素子６の撮影範囲のパララックスについて補正を行えばよい。
【００３６】
図９（ａ）、（ｂ）、（ｃ）はパララックス補正の説明図である。図９（ａ）は本デジタルカメラの撮影レンズおよびファインダの構成の斜視図、図９（ｂ）は平面図、図９（ｃ）は側面図である。
【００３７】
図９（ａ）において、符号２、６、１０はそれぞれ前述した撮影レンズ２、撮像素子６およびファインダ１０である。ファインダ１０は撮影レンズ２から横方向にＸｑ、縦方向にＹｑだけ離れた位置に設けられている。符号６’はパララックス補正を行うために駆動された撮像素子を示す。点Ｏは撮像素子６の中心、点Ｏ’は駆動された撮像素子６’の中心である。符号５１は撮像レンズ２の光軸であり、撮像素子６の中心Ｏを通っている。符号５２はファインダ１０の光軸であり、光軸５１と平行になるようにファインダ１０が設置されている。この状態で、被写体が十分遠い距離にあるときはファインダ１０と撮像素子６とのパララックスは無視できる。
【００３８】
ここで被写体の距離が小さくなり、被写体が撮影レンズ２から距離ｄの位置に来ると、撮影レンズ２の光軸５１とファインダ１０の光軸５２との距離が無視できなくなりパララックスが発生して、ファインダ１０の視野範囲と撮像素子６の撮影範囲との間に無視できない差ができる。本実施形態では、このとき撮像素子６を横方向にｘｂ、縦方向にｙｂだけ駆動して、撮像素子６’の中心Ｏ’と撮影レンズ２の中心を結ぶ直線５１’が光軸５２と点Ａで交わるようにする。点Ａは撮影レンズ２のある平面から距離ｄの距離にある。このようにするとファインダ１１と撮像素子６’とのパララックスは無くなり、ファインダ１１の視野範囲と撮像素子６’の撮像範囲が一致する。
【００３９】
図９（ｂ）、図９（ｃ）を用いて、被写体が撮影レンズ２のある面から距離ｄの位置に来た場合にパララックス補正を行う場合の、撮像素子６の駆動量ｘｂ、ｙｂの大きさを求める。
【００４０】
まず、補正量ｘｂを求める。図９（ｂ）は図９（ａ）の平面図である。ファインダ１０は撮影レンズ２から距離Ｘｑ離れており、パララックス補正のため駆動された撮像素子６’の中心点Ｏ’と撮影レンズ２の中心を結んだ直線５１’と光軸５２は、撮影レンズ２のある面から距離ｄ離れた点Ａで交わっている。点Ｏと点Ｏ’との距離をｘｂ、撮影レンズ２の焦点距離をＦｌとすると、点Ａと光軸５１との距離はＸｑであるから次式が成り立つ。
（式７）：Ｆｌ／ｘｂ＝ｄ／Ｘｑ
したがって、補正量ｘｂは次式で求められる。
（式８）：ｘｂ＝Ｘｑ・Ｆｌ／ｄ
次に、補正量ｙａを求める。図６（ｃ）は図６（ａ）の側面図である。ファインダ１０は撮影レンズ２から距離Ｙｑ離れており、パララックス補正のため移動させられた撮像素子６’の中心点Ｏ’と撮影レンズ２の中心を結んだ直線５１’と光軸５２は、撮影レンズ２のある平面から距離ｄ離れた点Ａで交わっている。点Ｏと点Ｏ’との距離をｙｂ、撮影レンズ２の焦点距離をＦｌとすると、点Ａと光軸５１との距離はＸｑであるから次式が成り立つ。
（式９）：Ｆｌ／ｙｂ＝ｄ／Ｙｑ
したがって、補正量ｘｂは次式で求められる。
（式１０）：ｙｂ＝Ｙｑ・Ｆｌ／ｄ
上述したように本実施形態によれば、手振れ補正のための撮像素子駆動手段７を用いて、撮像素子６を駆動し被写体距離の変化によって生じるファインダ１０と撮影範囲とのパララックスを補正することが可能になる。したがって、パララックス補正のために特別な機構を追加することなく、小形で低価格のパララックス補正が可能なカメラを提供することができる。また、本実施形態ではフラッシュ４と撮影範囲とのパララックス補正もされているので、撮影レンズ２とフラッシュ４との距離を十分にとることができ、赤目現象の出にくいカメラを提供することが可能になる。
【００４１】
本実施形態では、補正量を図４のステップＳ１４においてその都度計算しているが、他の方法としては被写体距離および撮影レンズの焦点距離に対して補正量を予め計算しておき、その結果をテーブルとしてメモリに記憶させておいてもよい。制御ＣＰＵ３０は被写体距離および撮影レンズの焦点距離に応じてそのテーブルから対応する補正量を読み出してパララックス補正を行うことができる。
【００４２】
以上のように、撮像素子を駆動して手振れを補正するブレ補正手段を備えたデジタルカメラにおいては、被写体が近距離にある場合に、撮像素子と光学的なファインダ間のパララックス、及び、撮像素子とフラッシュ間のパララックスの補正が可能になるので、さらに以下のようなデジタルカメラを提供することができる。
【００４３】
ファインダと、フラッシュと、撮像素子と、撮像素子を駆動する撮像素子駆動手段と、前記撮像素子駆動手段により前記撮像素子を駆動して被写体距離の変化によって生じる前記ファインダと前記撮像素子とのパララックス、及び、前記フラッシュと前記撮像素子とのパララックスを補正するパララックス補正手段と、前記パララックス補正手段によるファインダのパララックス補正と前記フラッシュによるパララックス補正とのいずれかを選択する選択手段と、を備えたことを特徴とするデジタルカメラである。
【００４４】
上記デジタルカメラはファインダとフラッシュを備えており、例えば被写体を近距離撮影する時にフラッシュを強制発光して撮影するマクロモードが従来提案されているが、この場合、制御ＣＰＵはフラッシュによるパララックス補正を優先して選択実行する。ＬＣＤを備えたデジタルカメラであれば、フラッシュのパララックス補正を優先した場合、ＬＣＤによりライブビュー表示を行って光学ファインダによるパララックスが生じないようにすればよい。これにより、マクロモード時に強制発光してフラッシュを使用するという撮影モードの意図を、パララックス補正にも反映することができるという効果がある。
【００４５】
また、被写体距離が近距離でも、撮影レンズの焦点距離がミドル領域からテレ領域の時は、フラッシュの照明範囲は十分に撮影範囲をカバーしているからフラッシュと撮像素子とのパララックスを気にすることがないので、光学ファインダと撮像素子とのパララックス補正を選択し、優先して実行するようにすればよい。
【００４６】
上述のように、本発明によれば、補正のために特別な機構を必要とせず、パララックスが補正可能なデジタルカメラを提供することが可能である。
【図面の簡単な説明】
【００４７】
【図１】第１の実施形態に係るデジタルカメラの外観図である。
【図２】第１の実施形態に係るデジタルカメラのブロック図である。
【図３】第１の実施形態の撮像素子駆動手段および撮像素子の構成を示す図である。
【図４】第１の実施形態のパララックス補正ルーチンのフローチャートである。
【図５】図３の撮像素子駆動手段が駆動範囲の限界まで駆動された状態の図である。
【図６】第１の実施形態のパララックス補正の説明図である。
【図７】第２の実施形態に係るデジタルカメラの外観図である。
【図８】第２の実施形態に係るデジタルカメラのブロック図である。
【図９】第２の実施形態のパララックス補正の説明図である。
【符号の説明】
【００４８】
１  カメラボディ
２  撮影レンズ
３  撮影レンズの鏡胴
４  フラッシュ
５  モード選択ダイアル
６  撮像素子
７  撮像素子駆動手段
８  操作ダイアル
９  ＬＣＤ
１０  ファインダ
１１  ファインダ接眼窓
２９  パララックス補正手段
４１  台板
４２ａ  Ｘアクチュエータ
４２ｂ  Ｙアクチュエータ
４３  Ｘ台板
４４  Ｙ台板
【図１】
2006259114.tif 000003
【図２】
2006259114.tif 000004
【図３】
2006259114.tif 000005
【図４】
2006259114.tif 000006
【図５】
2006259114.tif 000007
【図６】
2006259114.tif 000008
【図７】
2006259114.tif 000009
【図８】
2006259114.tif 000010
【図９】
2006259114.tif 000011